(57)【要約】【課題】  広告の露出効果が高い包装おしぼりを実現する。【解決手段】    シート材Ｓを合掌状の接合部１を有すると共に表面と裏面の２面構成の筒状に折曲し、更に筒の開口端を接合することにより製袋されるピロー状の包装袋に手拭きＰを収容した包装おしぼりにおいて、包装袋を破断して全長方向の切り裂き部を形成するための易開封手段４を合掌状の接合部に近接して設け、上記切り裂き部Ｋをきっかけとして包装袋を展開して得たシート材の全面を広告表示面として利用する。【選択図】      図１
2005348968.tif 000002
【特許請求の範囲】
【請求項１】
シート材を合掌状の接合部を有すると共に表面と裏面の２面構成の筒状に折曲し、更に筒の開口端を接合することにより製袋されるピロー状の包装袋に手拭きを収容した包装おしぼりにおいて、包装袋を破断して全長方向の切り裂き部を形成するための易開封手段を合掌状の接合部に近接して設け、上記切り裂き部をきっかけとして包装袋を展開して得たシート材の全面を広告表示面として利用することを特徴とする包装おしぼり。
【請求項２】
包装袋にカットテープを設けることにより全長方向の切り裂き部を形成するための易開封手段とした請求項１記載の包装おしぼり。
【請求項３】
シート材を合掌状の接合部を有すると共に表面と裏面の２面構成の筒状に折曲し、更に筒の開口端を接合することにより製袋されるピロー状の包装袋に手拭きを収容した包装おしぼりにおいて、シート材を２面構成の筒状に折曲した際の一方の折り目に近接した位置に合掌状の接合部を偏らせて配し、残余の包装袋の面を広告表示面として利用することを特徴とする包装おしぼり。
【請求項４】
包装袋を破断して全長方向の切り裂き部を形成するための易開封手段を合掌状の接合部に近接して設けた請求項３記載の包装おしぼり。
【請求項５】
包装袋に広告表示と交通機関に関する情報の表示を施した請求項１から４の何れかに記載の包装おしぼり。
【請求項６】
交通機関に関する情報は鉄道又はバスの路線図である請求項５記載の包装おしぼり。
【請求項７】
交通機関に関する情報は鉄道又はバスの時刻表である請求項５又は６記載の包装おしぼり。
【請求項８】
交通機関に関する情報は駅構内又はバスターミナルの案内図である請求項５から７の何れかに記載の包装おしぼり。
【発明の詳細な説明】
【技術分野】
【０００１】
この発明は包装袋に収容されたおしぼりに関する。
【背景技術】
【０００２】
例えば、紙や不織布、織布などからなる手拭きを平たく折り畳んで湿潤させたものを、包装袋に収容して封止したものが包装おしぼりとして公知である。
【０００３】
図１１乃至図１２はそのような包装おしぼりの包装袋の従来の構造を示す図である。材料取りの便宜や加工上の効率からこの種の包装袋はシート材Ｓを合掌状の接合部２０、２０を有すると共に表面と裏面の２面構成の筒状に折曲し、更に筒の開口端２１、２１を接合することによりピロー状に製袋されるのが通常である。
【発明の開示】
【発明が解決しようとする課題】
【０００４】
前記の包装おしぼりは、タオル地からなる布製のおしぼりに代わって使い捨てのおしぼりとして飲食店で客に提供されたり、持ち帰りの弁当などに付帯して提供されたりする用途が通常である。この場合、提供者側は提供する本来の役務や商品に対する付加価値を高めるためにサービスとしてこの種のおしぼりを提供しているのであるが、その費用負担は決して馬鹿にならなかった。
【０００５】
一方、前記したようにこの種の包装おしぼりは表面と裏面の２面からなる平面状に構成されているので、これらの面を広告の表示面として利用することにより、おしぼりを広告媒体とすれば広告収入が得られたり、おしぼり自体がスポンサーから無料で提供されるなどの効果が生じることとなる。
【０００６】
しかしながら、良好な湿潤状態を保つために手拭きは折り畳んで包装袋内に収容される関係上、包装袋自体の面積は限られ、表裏面を広告面として利用したとしてもそこにいちどきに表示できる広告の大きさには限りがあり、例えばチラシ広告のような大きな露出効果は狙えないという問題があった。又、図１１に示すように包装袋の裏面は中央に合掌状の接合部２０、２０が位置する関係上、この接合部により２つの面Ａ１とＡ２に分断され広告面が細分化するという問題もあった。
【課題を解決するための手段】
【０００７】
この発明は以上の従来技術に鑑みて創作されたものであり、包装袋自体の大きさは変えずにより大きな広告面を確保した包装おしぼりを提供することを目的するものであり、ここでは次の３つの発明を開示する。
【０００８】
第１発明は、シート材を合掌状の接合部を有すると共に表面と裏面の２面構成の筒状に折曲し、更に筒の開口端を接合することにより製袋されるピロー状の包装袋に手拭きを収容した包装おしぼりにおいて、包装袋を破断して全長方向の切り裂き部を形成するための易開封手段を合掌状の接合部に近接して設け、上記切り裂き部をきっかけとして包装袋を展開して得たシート材の全面を広告表示面として利用したことを特徴とする。
【０００９】
第２発明は、シート材を合掌状の接合部を有すると共に表面と裏面の２面構成の筒状に折曲し、更に筒の開口端を接合することにより製袋されるピロー状の包装袋に手拭きを収容した包装おしぼりにおいて、シート材を２面構成の筒状に折曲した際の一方の折り目に近接した位置に合掌状の接合部を偏らせて配し、残余の包装袋の面を広告表示面として利用したことを特徴とする。
【００１０】
第３発明は、前記の第１発明又は第２発明において、包装袋に広告表示と交通機関に関する情報の表示を施したことを特徴とする。
【発明の効果】
【００１１】
第１発明によれば、利用者は合掌状の接合部に近接して設けられた易開封手段を利用することにより包装袋を破断して全長方向の切り裂き部を得ることができるので（図２乃至図４参照）、これをきっかけとして包装袋を破壊せずにシート材に展開することが可能となる。そして、展開して得たシート材の全面には広告が表示されているのだから、従来のちらし広告に匹敵する大きな広告の露出効果を得ることが可能となる。
【００１２】
第２発明によれば、合掌状の接合部は包装袋の一方の折り目に近接した位置に偏らせて配されるので、接合部により裏面の広告面が分断されることが無くなり、広告面が細分化することが防止される。
【００１３】
ところで、駅の構内のエスカレータのベルトや鉄道やバス等の乗り物の吊り輪には雑菌が付着しており、予防衛生の観点からは降車の都度に手洗いをすることが好ましい。しかしながら、朝夕のラッシュ時には乗客にはそのような余裕がなく、このような場合に殺菌剤を湿潤させた手拭きを収容した包装おしぼりが使用できれば便利であり、各種の危険な感染症が蔓延している現況においては包装おしぼりに対する乗客の潜在的な需要は極めて高いといえる。一方、広告媒体として広告を付したティッシュ等を駅前で配布していることが多いが、受け取ってもらえない場合が多くその広告効果には疑問が生じる。
【００１４】
この発明においては、従来のちらし広告に匹敵する大きな広告を得られたり（第１発明）、広告面が細分化することが防止されるので（第２発明）、例えば路線図や時刻表、それに案内図といった大きな表示面積を有するものも表示可能となる。第３考案においては上記の特徴を生かし、広告表示に加えて交通機関に関する情報を施しているので、(A) 降車後に手を消毒したいという乗客の需要への対応と(B) 交通機関に関する情報を得るという有用性が有機的な組合わさった複合効果を得ることができる。従って、乗客が積極的に広告を付した包装おしぼりを受け取ることが予想され高い広告効果が期待できる。又、通常車内は勿論、駅の構内においては交通事業者によりこの種の広告媒体の頒布は禁止されているが、(A) 感染症から乗客を守るという公共的な要請と、(B) 交通機関に関する情報を与えることは乗客へのサービス向上につながるという理由から、構内や車内での頒布や備えつけが許可される蓋然性が高く、広告効果の飛躍的な向上が期待できる。
【発明を実施するための最良の形態】
【００１５】
以下、この発明の具体的実施例を添付図面に基づいて説明する。図１乃至図４は第１発明の包装おしぼりを示す図である。図中符号Ｓは包装袋に製袋されるシート材であり、この実施例ではヒートシール可能なプラスチックフィルムを想定している。上記シート材Ｓは合掌状の接合部１、１を有すると共に折り目２、２により表面と裏面の２面構成の筒状に折曲され、ヒートシール手段Ｈにより上記接合部１、１及び筒の開口端３、３が接合されることによりピロー状の包装袋Ｓ１に製袋される。
【００１６】
図中符号Ｐは手拭きであり、紙や不織布、織布などからなるシート材を平たく折り畳んで湿潤させたものが、前記の製袋の工程中において包装袋Ｓ１中に収容される。
【００１７】
図中符号４は包装袋を破断して全長方向の切り裂き部を形成するための易開封手段であり、ここでは細幅のカットテープをシート材の表面に貼着することによりその用に供している。即ち、図３及び図４に示すように利用者においてカットテープ４端を引き上げることにより、それにつられてシート材Ｓが破断され、全長方向の切り裂き部Ｋが形成される。尚、カットテープは易開封手段の例示であり、易開封手段はこれに止まらず、図示しないが、例えばシート材Ｓを全長方向の切り裂きの方向性を有する１軸延伸フィルムにより構成すると共に一端にノッチやタグ等の切り裂きのきっかけとなる手段を設けた構成であってもよいことは勿論である。
【００１８】
易開封手段により全長方向の切り裂き部Ｋが形成された包装袋Ｓ１は、利用者において切り裂き部の両側を摘んで互いに離間する方向（図４における矢印方向）に引っ張ることにより包装袋を破壊せずにシート材Ｓに展開される。
【００１９】
一方、シート材Ｓには予め全面に広告Ａを施すことにより、包装袋の展開時に利用者はシート材の全面に渡って施された広告に接することになる（図５参照）。
【００２０】
図６及び図７は第２発明の包装おしぼりを示す図である。図中符号Ｓは包装袋に製袋されるシート材であり、この実施例ではシール可能なプラスチックフィルムを想定している。上記シート材Ｓは合掌状の接合部１１、１１を有すると共に折り目１３、１３により表面と裏面の２面構成の筒状に折曲され、ヒートシール手段Ｈにより上記接合部１２、１２及び筒の開口端１３、１３が接合されることによりピロー状の包装袋Ｓ１に製袋されるが、この発明においては合掌状の接合部は包装袋の一方の折り目に近接した位置に偏らせて配される。
【００２１】
図８は製袋された包装袋Ｓ１の裏面を示す図であるが、従来技術のように合掌状の接合部により裏面が分断されない結果、広い広告面Ａを確保できることがわかる。
【００２２】
図８及び図９は第２発明の異なる実施例を示す図である。この実施例においては合掌状の接合部に近接して易開封手段Ｔを設けたものであり、その作用は前記第１発明の場合と共通である。
【００２３】
第３発明においては広告表示中に交通機関に関する情報を含む。交通機関に関する情報としては例えば次のようなものが想定されるが、これらに限定されないことは勿論である。
【００２４】
鉄道又はバスの路線図
鉄道又はバスの時刻表
駅構内又はバスターミナルの案内図
この場合、包装袋の表面に上記の情報、裏面にスポンサーの広告を施すことが想定される。
【図面の簡単な説明】
【００２５】
【図１】第１発明の包装おしぼりの製袋前の斜視図
【図２】同上、製袋後の斜視図。
【図３】同上、開封の過程を示す斜視図。
【図４】同上、開封の過程を示す斜視図。
【図５】同上、展開状態を示す平面図。
【図６】第２発明の包装おしぼりの製袋前の斜視図
【図７】同上、製袋後の斜視図。                。
【図８】第２発明の包装おしぼりの異なる実施例の製袋前の斜視図
【図９】同上、製袋後の斜視図。
【図１０】従来技術の包装おしぼりの製袋前の斜視図
【図１１】同上、製袋後の斜視図。
【符号の説明】
【００２６】
Ｓ            シート材
Ｐ            手拭き
１            合掌状の接合部
４            易開封手段
【図１】
2005348968.tif 000003
【図２】
2005348968.tif 000004
【図３】
2005348968.tif 000005
【図４】
2005348968.tif 000006
【図５】
2005348968.tif 000007
【図６】
2005348968.tif 000008
【図７】
2005348968.tif 000009
【図８】
2005348968.tif 000010
【図９】
2005348968.tif 000011
【図１０】
2005348968.tif 000012
【図１１】
2005348968.tif 000013